(57)【要約】【課題】  着信音の違いによってＴＯかＣＣ（ＢＣＣ）かを判別できるようにするとともに、送信元メールアドレスがアドレス帳に登録されているか否かも、発光の違いにより容易に識別できるようにする。【解決手段】  メール受信部１で受信したメールのヘッダ情報を解析するヘッダ情報解析部２に、当該受信者への特定宛先であるか同報宛先であるかを判断する宛先判断手段２ａと、ヘッダ情報からアドレス帳６を参照して、送信元メールアドレスがアドレス帳に登録されているか否かを判断するアドレス登録判断手段２ｂとを備える。宛先判断手段２ａの判断結果が特定宛先であるときは、着信音鳴音部３により第１の着信音で着信を報知し、同報宛先であるときは第２の着信音で着信を報知する。また、アドレス登録判断手段２の判断結果に従い、登録されていたときは着信発光部４により第１の発光で着信を表示し、登録されていないときは第２の発光で着信を表示する。【選択図】  図１
2005250544.tif 000002
【特許請求の範囲】
【請求項１】
受信部で受信したメールのヘッダ情報を解析し、当該受信者への特定宛先であるか同報宛先であるかを判断する宛先判断手段と、その判断結果が特定宛先であるときは第１の着信音で着信を報知し、同報宛先であるときは第２の着信音で着信を報知する着信音鳴音手段とを備えてなることを特徴とするメール着信通知装置。
【請求項２】
受信部で受信したメールのヘッダ情報からアドレス帳を参照して、送信元メールアドレスがアドレス帳に登録されているか否かを判断するアドレス登録判断手段と、その判断結果に従い、登録されていたときは第１の発光で着信を表示し、登録されていないときは第２の発光で着信を表示する着信発光手段とを更に備えたことを特徴とする請求項１に記載のメール着信通知装置。
【請求項３】
特定宛先であるメールについて、ヘッダ情報から重要度を判定する重要度判定手段と、重要度が高いとき予め指定された転送先へメールを転送するメール送信手段とを更に備えたことを特徴とする請求項１又は２に記載のメール着信通知装置。
【発明の詳細な説明】
【技術分野】
【０００１】
本発明は、電子メールの送受信機能を有する携帯通信端末（携帯電話機等）や情報処理端末（パソコン等）などにおいて、メールの着信を当該端末においてユーザに通知するメール着信通知装置に関する。
【背景技術】
【０００２】
従来、この種の端末において、受信したメールが当該受信者への特定宛先（以「ＴＯ」と記す）であるか同報宛先（以下「ＣＣ」と記す）であるかを識別できるメール受信装置は、電子メールをメールボックス内の各クライアント毎に設けられたＴＯメールボックスと、ＣＣメールボックスのいずれかに分別して記憶するものであった。例えば、特許文献１（特開平１０−０６５７３０号公報）や特許文献２（特開２００３−６０７０８号公報）を参照。
そのため、受信トレイ内を見ないとＴＯかＣＣかが分からなかった。
【０００３】
メールの種別によって着信通知を変える従来技術としては、次の特許文献に開示されたものがある。
＜特許文献３（特開２００１−２８２６３５号公報）＞
メールの種別にそれぞれ対応するメロディを予めテーブルに記憶しておき、メール種別によって発生するメロディを変える。
【０００４】
＜特許文献４（特開２００２−２４４９８０号公報）＞
受信メールのタイトルから返送メールであるか転送メールであるかを判別し、返送メールのときと転送メールのときとで着信音を変える。
【０００５】
＜特許文献５（特開２００２−４１４１４号公報）
メールから重要度情報を抽出してそのレベルを判定し、重要度レベルに対応する着信音量にて着信を報知する。
【特許文献１】特開平１０−０６５７３０号公報
【特許文献２】特開２００３−６０７０８号公報
【特許文献３】特開２００１−２８２６３５号公報
【特許文献４】特開２００２−２４４９８０号公報
【特許文献５】特開２００２−４１４１４号公報
【発明の開示】
【発明が解決しようとする課題】
【０００６】
しかし、従来には、受信したメールがＴＯかＣＣ（ＢＣＣ）かを簡単に判別できるようなものはなかった。
そこで、本発明の第１の課題は、着信音の違いによってＴＯかＣＣ（ＢＣＣ）かを判別できるようにすることにある。
第２の課題は、送信元メールアドレスがアドレス帳に登録されているか否かも、発光の違いにより容易に識別できるようにすることにある。
第３の課題は、ＴＯと判定されたメールの中の重要度の高いものを指定先へ転送することも可能とすることにある。
【課題を解決するための手段】
【０００７】
上記第１の課題を達成するため、本発明のメール着信通知装置は、受信部で受信したメールのヘッダ情報を解析し、当該受信者への特定宛先であるか同報宛先であるかを判断する宛先判断手段と、その判断結果が特定宛先であるときは第１の着信音で着信を報知し、同報宛先であるときは第２の着信音で着信を報知する着信音鳴音手段とを備えてなる。
【０００８】
第２の課題を達成するには、更に、受信部で受信したメールのヘッダ情報からアドレス帳を参照して、送信元メールアドレスがアドレス帳に登録されているか否かを判断するアドレス登録判断手段と、その判断結果に従い、登録されていたときは第１の発光で着信を表示し、登録されていないときは第２の発光で着信を表示する着信発光手段とを備える。
【０００９】
第３の課題を達成するには、更に、特定宛先であるメールについて、ヘッダ情報から重要度を判定する重要度判定手段と、重要度が高いとき予め指定された転送先へメールを転送するメール送信手段とを備える。
【発明の効果】
【００１０】
本発明によれば、着信したメールがＴＯであるかＣＣ（ＢＣＣ）であるかを、メール内容を確認する前に着信音の違いによって判別できる。
また、送信元メールアドレスがアドレス帳に登録されているか否かを着信色の違いにより識別できるので、メール内容の即時確認の要否判断や、迷惑メールなどの不用メールであるか否かを判断するのに至便である。
さらに、ＴＯのメールの中で重要度の高いものを指定の転送先へ転送することがきるので、異なる端末同士において、重要度の高いメールについては、一方の端末での受信を他方の端末で確認することができる。
【発明を実施するための最良の形態】
【００１１】
次に、本発明の実施例を図面に基づいて詳細に説明する。
【実施例１】
【００１２】
本実施例は、図１のブロック図に示すように、電子メールを受信するメール受信部１と、これにて受信されたメールのヘッダ情報を解析するヘッダ情報解析部２と、音によって着信を知らせる着信音鳴音部３と、発光によって着信を知らせる着信発光部４と、メールを送信するメール送信部５とからなる。
【００１３】
ヘッダ情報解析部２は、当該メールのヘッダ情報を解析し、当該受信者への特定宛先であるＴＯであるか、同報宛先であるＣＣ（ＢＣＣ）であるかを判断する機能、つまり宛先判断手段２ａと、ヘッダ情報からアドレス帳を参照して、送信元メールアドレスがアドレス帳６に登録されているか否かを判断する機能、つまりアドレス登録判断手段２ｂとを備えている。
【００１４】
図２のフローチャートに従って動作を説明する。
図１において、メール受信部１で電子メールを受信すると（ステップＳ１）、ヘッダ情報解析部２はヘッダ情報を解析する（ステップＳ２）。そして、着信したメールアドレスがＴＯかＣＣ（ＢＣＣ）かを宛先判断手段２ａで判断して（ステップＳ３）、ＴＯの場合は、着信音鳴音部３を第１の着信音で鳴音し（ステップＳ４）、ＣＣ（ＢＣＣ）の場合は、着信音鳴音部３を第２の着信音で鳴音する（ステップＳ５）。
【００１５】
さらに、送信元メールアドレスはアドレス帳６に登録されているかを判断して（ステップＳ６）、登録されている場合は、着信発光部４のＬＥＤを第１の発光色に発光し（ステップＳ７）、登録されていない場合は、着信発光部４のＬＥＤを第２の発光色に発光する（ステップＳ８）。
【００１６】
このようにして、本実施例では、メールを着信したときにＴＯかＣＣ（ＢＣＣ）かによって着信音が変化し、送信元メールアドレスがアドレス帳に登録されているか否かで着信色が変化することによって、メールを確認する前にその重要度が分かる。  
【実施例２】
【００１７】
本発明の実施例２として、その基本的構成は上記の通りであるが、着信を知らせる方法についてさらに工夫している。その構成を図３に示す。本実施例２では、上述したような判断によりメールがＴＯであった場合、さらにそのメールについて、ヘッダ情報から重要度を判定する重要度判定手段２ｃをヘッダ情報解析部２に備え、重要度が高いと判断したとき、予め指定された転送先（他の端末）へメール送信部５にて転送する。
【００１８】
このように、本実施例では、重要度の高いＴＯのメールのみを他の端末に転送するので、重要度の高いメールのみ他の端末で受けれるという効果が得られる。
【図面の簡単な説明】
【００１９】
【図１】本発明の実施例１の構成を示すブロック図である。
【図２】その動作を示すフローチャートである。
【図３】本発明の実施例２の構成を示すブロック図である。
【符号の説明】
【００２０】
１  メール受信部
２  ヘッダ情報解析部
２ａ  宛先判断手段
２ｂ  アドレス登録判断手段
２ｃ  重要度判定手段
３  着信音鳴音部
４  着信発光部
５  メール送信部
６  アドレス帳
【図１】
2005250544.tif 000003
【図２】
2005250544.tif 000004
【図３】
2005250544.tif 000005